(57)【要約】【課題】マイクロホンを備えケーブル整理及びケーブル巻取り可能な巻取り式イヤホンセットを提供する。【解決手段】巻取り式イヤホンセットは、音源ケーブル１１に連結されるイヤホン１、中空のケーブル整理箱２、ケーブル整理箱２内に設置されるマイクロホン３、および一端がマイクロホン信号ケーブル３１及び音源ケーブル１１に連結される外接差込端４を備える。二本の音源ケーブル１１は、ケーブル整理箱２を移動可能に貫通する。使用者がイヤホン１を付けるとき、ケーブル整理箱２と二つのイヤホン１とは分離され、マイクロホン３は使用者の口の近くに位置する。使用者がケーブルを収めるとき、ケーブル整理箱２と二つのイヤホン１とは集まり、音源ケーブル１１とマイクロホン信号ケーブル３１とは並行する。これにより、ケーブル収納器５は、すべてのケーブルを完全に巻き収めるのに有利である。【選択図】図１
2012235244.tif 000002
【特許請求の範囲】
【請求項１】
音源ケーブルに連結される少なくとも一つのイヤホンと、
前記音源ケーブルが移動可能な方式をもって貫通する中空のケーブル整理箱と、
前記ケーブル整理箱内に設置され、前記ケーブル整理箱を貫通するマイクロホン信号ケーブルに連結されるマイクロホンと、
一端が前記マイクロホン信号ケーブル及び前記音源ケーブルに連結される外接差込端と、
を備え、
前記マイクロホン信号ケーブル及び前記音源ケーブルは、折り曲げ可能な材料から形成されることを特徴とする巻取り式イヤホンセット。
【請求項２】
前記ケーブル整理箱は、一端に少なくとも一つのケーブル整理孔を有し、他端にケーブル孔を有し、
前記音源ケーブルは、前記ケーブル整理孔に挿入され、前記マイクロホン信号ケーブルと並行して前記ケーブル孔から抜け出ることを特徴とする請求項１記載の巻取り式イヤホンセット。
【請求項３】
前記ケーブル整理箱には、少なくとも一つの耳部が突き出して設けられ、
前記音源ケーブルは、前記耳部から抜け出ることを特徴とする請求項１記載の巻取り式イヤホンセット。
【請求項４】
ケーブルの収納及びケーブルの巻き取りに用いられるケーブル収納器を有することを特徴とする請求項１記載の巻取り式イヤホンセット。
【請求項５】
前記マイクロホン信号ケーブル及び前記音源ケーブルは、信号ケーブルを構成することを特徴とする請求項１記載の巻取り式イヤホンセット。
【請求項６】
前記信号ケーブルは、マイクロホン及びイヤホンを駆動する駆動電力を伝送することを特徴とする請求項５記載の巻取り式イヤホンセット。
【請求項７】
前記ケーブル整理箱の一端には、掛けくさりの連結に用いられる吊り掛けボタンが連結されることを特徴とする請求項１記載の巻取り式イヤホンセット。
【請求項８】
前記ケーブル収納器の側辺には、使用者の衣服に挟みつけることに用いられる襟クリップが設けられることを特徴とする請求項１記載の巻取り式イヤホンセット。
【請求項９】
前記イヤホンは、二つであり、二本の音源ケーブルに連結され、
前記ケーブル整理箱の一端には、二つのケーブル整理孔が設けられ、
前記二本の音源ケーブルは、前記二つのケーブル整理孔に挿入され、前記マイクロホン信号ケーブルと並行して前記ケーブル孔から抜け出ることを特徴とする請求項２記載の巻取り式イヤホンセット。
【発明の詳細な説明】
【技術分野】
【０００１】
本発明は、巻取り式イヤホンセット（ｅａｒｐｈｏｎｅ  ｓｅｔ）に関し、詳しくはケーブル整理及びケーブル巻取り可能な巻取り式イヤホンセットに関する。
【背景技術】
【０００２】
現在のポータブル（ｐｏｒｔａｂｌｅ）電子製品は勢い盛んに発展しており、一般電子製品の多くはイヤホンと組合せて使用されている。従来、市販されている最も一般的なイヤホンは、すべて伝送ケーブルが一定の長さを有する。そのため、イヤホンを収納する場合、常に伝送ケーブルの絡み合う状況が発生し、使用時は絡み合った伝送ケーブルを解き開けなければならず、消費者の使用が不便になる。かつイヤホンは、常に絡み合いまたは纏い付きやすく、イヤホンの使用寿命が短くなるおそれがある。
【０００３】
一般イヤホンの伝送ケーブルが纏い付くような状況の発生を避けるため、市場では伝送ケーブルの収納を便利にするイヤホン装置が現われた。この種の従来の伝送ケーブル収納可能なイヤホン装置は、分離された収納部とイヤホンとから構成される。イヤホン装置を使わないときは、手動方式をもってイヤホンケーブルの余った長さを収納部の内部に収める。
なお、イヤホン巻き取り装置は、例えば特許文献１に記載されている。
【先行技術文献】
【特許文献】
【０００４】
【特許文献１】特開２００２−１０１４８４号公報
【発明の概要】
【発明が解決しようとする課題】
【０００５】
しかしながら、上記のようなイヤホン装置は、伝送ケーブルが自動的に収納できないため、使用上極めて不便であり、かつ収納部とイヤホンとが別々に結合されて一体成型されず、収納部が紛失する状況が発生しやすくなる。更にイヤホンの伝送ケーブルを収納するとき、マイクを同じ収納部に収納することができないため、不便である。
上記問題を解決するため、本発明は、マイクロホンを備えケーブル整理及びケーブル巻取り可能な巻取り式イヤホンセットを提供する。
【課題を解決するための手段】
【０００６】
上記目的を達成するため、本発明による巻取り式イヤホンセットは、音源ケーブルに連結される少なくとも一つのイヤホンと、音源ケーブルが移動可能な方式をもって貫通する中空のケーブル整理箱と、ケーブル整理箱内に設置され、ケーブル整理箱を貫通するマイクロホン信号ケーブルに連結されるマイクロホンと、一端がマイクロホン信号ケーブル及び音源ケーブルに連結される外接差込端と、を備え、携帯電話音楽プレーヤー等の電子装置に使用される。
【０００７】
これにより、音源ケーブルおよびマイクロホン信号ケーブルはケーブル整理箱を貫通し、イヤホンの伝送ケーブルが纏い付いてすぐに使えない問題がなくなる。二本の音源ケーブルは、ケーブル整理箱を移動可能に貫通する。使用者がイヤホンを付けるとき、ケーブル整理箱と二つのイヤホンとは分離され、マイクロホンは使用者の口の近くに位置する。使用者がケーブルを収めるとき、ケーブル整理箱と二つのイヤホンとは集まり、二つのイヤホンの音源ケーブルとマイクロホン信号ケーブルとは並行する。これにより、ケーブル収納器は、すべてのケーブルを完全に巻き収めるのに有利である。
【図面の簡単な説明】
【０００８】
【図１】本発明の一実施形態による巻取り式イヤホンセットのケーブルが巻き上げられていない状態を示す斜視図である。
【図２】本発明の一実施形態による巻取り式イヤホンセットのケーブルの一部が巻き上げられた状態を示す斜視図である。
【図３】本発明の一実施形態による巻取り式イヤホンセットのケーブルが巻上げられた状態を示す斜視図である。
【図４】本発明の一実施形態による巻取り式イヤホンセットのイヤホンが使用される時の状態図である。
【図５】本発明の一実施形態による巻取り式イヤホンセットの音源ケーブルが収納される時の状態図である。
【発明を実施するための形態】
【０００９】
（一実施形態）
図１に示すように、本発明の一実施形態による巻取り式イヤホンセットは、一対のイヤホン１、ケーブル整理箱２、マイクロホン３、外接差込端４、およびケーブル収納器５を備える。
【００１０】
一対のイヤホン１は、音源ケーブル１１に連結される。
ケーブル整理箱２は、一端に二つのケーブル整理孔２０が設けられ、二つのケーブル整理孔２０の間に吊り掛けボタン２１が連結され、他端にケーブル孔２２を有し、中空である。
【００１１】
二本の音源ケーブル１１は、それぞれ二つのケーブル整理孔２０を通り貫く。音源ケーブル１１のイヤホン１側の一端がケーブル整理箱２に収納されたとき、二つのイヤホン１は、それぞれ二つのケーブル整理孔２０に当て付けられ、イヤホン１の位置が固定される。
【００１２】
マイクロホン３は、ケーブル整理箱２内に設置され、マイクロホン信号ケーブル３１に連結される。マイクロホン信号ケーブル３１及び二本の音源ケーブル１１は、ともにケーブル孔２２を貫通する。
【００１３】
外接差込端４は、一端がマイクロホン信号ケーブル３１及び二本の音源ケーブル１１に連結される。マイクロホン信号ケーブル３１及び二本の音源ケーブル１１は、信号ケーブル４１を構成する。外接差込端４を電子装置に差し込むと、信号ケーブル４１によって信号をそれぞれマイクロホン信号ケーブル３１及び二本の音源ケーブル１１に伝送し、電力を提供し、並びに信号を伝送する。
【００１４】
信号ケーブル４１は、駆動電力を伝送し、対応の装置例えばマイクロホン３及びイヤホン１を駆動する。
【００１５】
信号ケーブル４１は、ケーブル収納器５の一端に巻き入れられ、ケーブル収納器５の他端から貫き出す。ケーブル収納器５は、ケーブルの収納及びケーブルの巻き取りに用いられる。ケーブル収納器５は、従来技術に熟知されるものであるので、詳細はここで説明しない。
【００１６】
ケーブル収納器５の側辺には、使用者の衣服に挟むことに用いられる襟クリップ５１が設けられる。
【００１７】
本発明の構成は如何なるケーブル収納器に適用され、図面に示す実施例に限らない。本発明のすべての部材の形態は、図面に示すものに限らず、如何なる形状、様式または色にすることができる。これらの種々はすべて本発明の技術的範囲内である。
【００１８】
本発明の一実施形態による巻取り式イヤホンセットは、携帯電話、音楽プレーヤー等の電子製品に使用されることができ、ケーブルを収納してイヤホンケーブルの纏い付けによってすぐに使用することができない問題と不便を解消することができる。図４及び図５に示すように、内部にマイクロホン３を含むケーブル整理箱２が音源ケーブル１１に沿って移動することにより、使用者がイヤホンを取り付けるとき、ケーブル整理箱２と二つのイヤホン１とは分離され、マイクロホン３は使用者の口の近くに位置する。使用者がケーブルを収めるとき、ケーブル整理箱２と二つのイヤホン１とは集まり、イヤホン１の二本の音源ケーブル１１とマイクロホン信号ケーブル３１とは並行する。これにより、ケーブル収納器５はすべてのケーブルを完全に巻き収めることに有利である。
【００１９】
本発明は、上記実施形態に限定されず、本発明の要旨を逸脱しない範囲で行った同等効果の実施または変更は、すべて本発明の技術的範囲に含まれるべきである。
【符号の説明】
【００２０】
１  ・・・イヤホン
１１・・・音源ケーブル
２  ・・・ケーブル整理箱
２０・・・ケーブル整理孔
２１・・・吊り掛けボタン
２２・・・ケーブル孔
３  ・・・マイクロホン
３１・・・マイクロホン信号ケーブル
４  ・・・外接差込端
４１・・・信号ケーブル
５  ・・・ケーブル収納器
５１・・・襟クリップ
【図１】
2012235244.tif 000003
【図２】
2012235244.tif 000004
【図３】
2012235244.tif 000005
【図４】
2012235244.tif 000006
【図５】
2012235244.tif 000007